(57)【要約】【課題】本発明は、簡略、安価な構造でありながら、上下反転操作という簡略な操作で生ゴミをきれいに除去でき、しかも、生ゴミ等の廃棄処分後、直ちに再使用の状態に供することができる天地両用型の厨芥処理具を提供する。【解決手段】本発明の厨芥処理具１は、内部が空間で上下を開口した立体状の胴部２と、胴部２の内周壁に胴部長さ方向に沿って設けた移動用ガイド４と、移動用ガイド４にガイドされて胴部２内を双方向に移動可能な複数又は多数の穴６を設けた移動底板５と、胴部外周でこの胴部２の長さ方向の双方向に移動可能な把手８付き環状板７と、胴部２の両端外周部に各々設けた把手８付き環状板７の脱落防止用のストッパー部２ｂとを有するものである。【選択図】図１
2004323237.tif 000002
【特許請求の範囲】
【請求項１】
内部が空間で上下を開口した立体状の胴部と、
前記胴部の内周壁にガイドされて胴部内を長さ方向の双方向に移動可能で複数又は多数の穴を設けた移動底板と、
を有することを特徴とする厨芥処理具。
【請求項２】
内部が空間で上下を開口した立体状の胴部と、
前記胴部両端から外脱しないように胴部内に配置され、且つ、胴部の内周壁にガイドされて胴部内を長さ方向の双方向に移動可能で複数又は多数の穴を設けた移動底板と、
を有することを特徴とする厨芥処理具。
【請求項３】
内部が空間で上下を開口した立体状の胴部と、
前記胴部両端から外脱しないように胴部内に配置され、且つ、胴部の内周壁にガイドされて胴部内を長さ方向の双方向に移動可能で複数又は多数の穴を設けた移動底板と、
前記胴部外周でこの胴部の長さ方向の双方向に移動可能な環状板と、
前記胴部の上下両端の外周部に各々設けた前記環状板の脱落防止用のストッパー部と、
を有することを特徴とする厨芥処理具。
【請求項４】
内部が空間で上下を開口した立体状の胴部と、
前記胴部両端から外脱しないように胴部内に配置され、且つ、胴部の内周壁にガイドされて胴部内を長さ方向の双方向に移動可能で複数又は多数の穴を設けた移動底板と、
前記胴部外周でこの胴部の長さ方向の双方向に移動可能な把手付き環状板と、  前記胴部の上下両端の外周部に各々設けた前記環状板の脱落防止用のストッパー部と、
を有することを特徴とする厨芥処理具。
【請求項５】
前記移動底板は、内部が空間で上下を開口した低い立体状で前記胴部の内周と相似形状の外周部と、この外周部内に固設されて水切り用の複数又は多数の穴を設けた板材とからなるものであることを特徴とする請求項１乃至４のいずれかに記載の厨芥処理具。
【請求項６】
前記胴部の上下端の内周面には、移動底板の胴部両端から外方への脱落防止用の複数のストッパー部を具備するものであることを特徴とする請求項１乃至５のいずれかに記載の厨芥処理具。
【請求項７】
前記胴部は筒状であるとともに、前記移動底板は胴部両端から外脱しないように胴部内に配置され、且つ、胴部の内周壁にガイドされて胴部内を長さ方向の双方向に移動可能で筒状の胴部と相似形状であることを特徴とする請求項１乃至６のいずれかに記載の厨芥処理具。
【請求項８】
内部が空間で上下を開口した立体状の胴部と、
前記胴部の内周壁に胴部の長さ方向に沿って設けた移動用ガイドと、
前記移動用ガイドにガイドされて胴部内を長さ方向の双方向に移動可能で複数又は多数の穴を設けた移動底板と、
を有することを特徴とする厨芥処理具。
【請求項９】
内部が空間で上下を開口した立体状の胴部と、
前記胴部の内周壁に胴部の長さ方向に沿って設けた複数の移動用ガイドと、
前記移動用ガイドから外脱しないように該移動用ガイドにガイドされて胴部内を長さ方向の双方向に移動可能で複数又は多数の穴を設けた移動底板と、
前記胴部外周でこの胴部の長さ方向の双方向に移動可能な環状板と、
前記胴部の上下両端の外周部に各々設けた前記環状板の脱落防止用のストッパー部と、
を有することを特徴とする厨芥処理具。
【請求項１０】
内部が空間で上下を開口した立体状の胴部と、
前記胴部の内周壁に胴部の長さ方向に沿って設けた複数の移動用ガイドと、
前記移動用ガイドから外脱しないように該移動用ガイドにガイドされて胴部内を長さ方向の双方向に移動可能で複数又は多数の穴を設けた移動底板と、
前記胴部外周でこの胴部の長さ方向の双方向に移動可能な把手付き環状板と、  前記胴部の上下両端の外周部に各々設けた前記把手付き環状板の脱落防止用のストッパー部と、
を有することを特徴とする厨芥処理具。
【請求項１１】
内部が空間で上下を開口した立体状の胴部と、
前記胴部の内周壁に胴部の長さ方向に沿って設けた複数の移動用ガイドと、
外周部に歯車状歯形又は鋸歯状歯形が形成されるともに、前記移動用ガイドから外脱しないように該移動用ガイドにガイドされて胴部内を前記歯車状歯形又は鋸歯状歯形部分を胴部に接触させつつ胴部内を長さ方向の双方向に移動可能で複数又は多数の穴を設けた移動底板と、
前記胴部外周でこの胴部の長さ方向の双方向に移動可能な把手付き環状板と、  前記胴部の上下両端の外周部に各々設けた前記把手付き環状板の脱落防止用のストッパー部と、
を有することを特徴とする厨芥処理具。
【請求項１２】
内部が空間で上下を開口した立体状の胴部と、
前記胴部の内周壁に胴部の長さ方向に沿って設けた複数の移動用ガイドと、
外周部に歯車状歯形又は鋸歯状歯形が形成されるともに、前記移動用ガイドから外脱しないように該移動用ガイドにガイドされて胴部内を前記歯車状歯形又は鋸歯状歯形部分を胴部に接触させつつ胴部内を長さ方向の双方向に移動可能で複数又は多数の穴を設けた移動底板と、
内周部に歯車状歯形又は鋸歯状歯形が形成されるともに、胴部外周で前記歯車状歯形又は鋸歯状歯形部分を胴部外周に接触させつつ胴部内を長さ方向の双方向に移動可能な把手付き環状板と、
前記胴部の上下両端の外周部に各々設けた前記把手付き環状板の脱落防止用のストッパー部と、
を有することを特徴とする厨芥処理具。
【請求項１３】
前記胴部は筒状であるとともに、前記移動底板は前記移動用ガイドにガイドされて胴部内を長さ方向の双方向に移動可能で筒状の胴部と相似形状であることを特徴とする請求項７乃至１１のいずれかに記載の厨芥処理具。
【請求項１４】
前記胴部は、内部が空間で上下を開口した立体状で、壁面に複数又は多数の穴を設けたものであることを特徴とする請求項１乃至１３のいずれかに記載の厨芥処理具。
【発明の詳細な説明】
【技術分野】
【０００１】
本発明は、厨芥処理具に関し、詳しくは、流し台等の排水口或いは排水トラップが一体となった排水口等に用いられるストレーナー、すなわち、家庭の流し台等において生ゴミ等をはじめとする各種ゴミを効率良く廃棄処分することが可能で、しかも、生ゴミ等の廃棄処分後、直ちに再使用の状態に供することができる厨芥処理具に関するものである。
【背景技術】
【０００２】
従来、家庭の流し台等において、野菜くずのような生ゴミ等をはじめとする各種ゴミを廃棄処分する際には、生ゴミ等の収納用容器内に生ゴミ等がいっぱいになった段階で、例えば手作業で生ゴミ等をすくい取り、ビニール袋等に入れて廃棄するようにしていた。
【０００３】
この場合、生ゴミ等の収納用容器内壁に生ゴミ等が混在して付着したりしているため、生ゴミ等の廃棄時に、その収納用容器を再使用の状態に供するためにきれいにすることは極めて煩雑で面倒であった。これにより、その結果として、生ゴミ等の当該収納用容器を再使用の状態に供するために行なう野菜くずのような生ゴミ等をはじめとする各種ゴミを廃棄処分すること自体が極めて煩雑で面倒なものであったというのが従来の実情である。
【０００４】
また、例えば特開平７−１６４９０号公報には、生ゴミ等に含まれる水分の脱水を自動的に行い効率良く廃棄処理するために、高圧の水流を利用して生ゴミ等を入れた水きりかごを回転させるように構成した厨芥脱水装置が提案されている。しかし、このような厨芥脱水装置の場合、水きりかごを回転させる構造が複雑となり、高価格なものになってしまうという問題があった。
【特許文献１】特開平７−１６４９０号公報
【発明の開示】
【発明が解決しようとする課題】
【０００５】
本発明は、上記従来の実情に鑑み開発されたものであり、簡略、安価な構造でありながら、生ゴミ等の収納用容器を構成する無底胴部の壁部に付着する生ゴミ等を無底胴部の上下反転操作のみ（収納用容器を構成する無底胴部を反転するだけ）できれいに除去でき、当該無底胴部の上下反転操作のみ（収納用容器を構成する無底胴部を反転するだけ）で収納用容器を直ちに再使用の状態に供することができる天地両用型という極めて斬新構造の厨芥処理具を提供することを目的とする。
【課題を解決するための手段】
【０００６】
請求項１記載の発明の厨芥処理具は、内部が空間で上下を開口した立体状の胴部と、前記胴部の内周壁にガイドされて胴部内を長さ方向の双方向に移動可能で複数又は多数の穴を設けた移動底板とを有することを特徴とするものである。
【０００７】
請求項２記載の発明の厨芥処理具は、内部が空間で上下を開口した立体状の胴部と、前記胴部両端から外脱しないように胴部内に配置され、且つ、胴部の内周壁にガイドされて胴部内を長さ方向の双方向に移動可能で複数又は多数の穴を設けた移動底板とを有することを特徴とするものである。
【０００８】
請求項３記載の発明の厨芥処理具は、内部が空間で上下を開口した立体状の胴部と、前記胴部両端から外脱しないように胴部内に配置され、且つ、胴部の内周壁にガイドされて胴部内を長さ方向の双方向に移動可能で複数又は多数の穴を設けた移動底板と、前記胴部外周でこの胴部の長さ方向の双方向に移動可能な環状板と、前記胴部の上下両端の外周部に各々設けた前記環状板の脱落防止用のストッパー部とを有することを特徴とするものである。
【０００９】
請求項４記載の発明の厨芥処理具は、内部が空間で上下を開口した立体状の胴部と、前記胴部両端から外脱しないように胴部内に配置され、且つ、胴部の内周壁にガイドされて胴部内を長さ方向の双方向に移動可能で複数又は多数の穴を設けた移動底板と、前記胴部外周でこの胴部の長さ方向の双方向に移動可能な把手付き環状板と、前記胴部の上下両端の外周部に各々設けた前記環状板の脱落防止用のストッパー部とを有することを特徴とするものである。
【００１０】
請求項５記載の発明の厨芥処理具は、前記請求項１乃至４のいずれかに記載の厨芥処理具において、前記移動底板は、内部が空間で上下を開口した低い立体状で前記胴部の内周と相似形状の外周部と、この外周部内に固設されて水切り用の複数又は多数の穴を設けた板材とからなるものであることを特徴とする。
【００１１】
請求項６記載の発明の厨芥処理具は、前記請求項１乃至５のいずれかに記載の厨芥処理具において、前記胴部の上下端の内周面には、移動底板の胴部両端から外方への脱落防止用の複数のストッパー部を具備するものであることを特徴とする。
【００１２】
請求項７記載の発明の厨芥処理具は、前記請求項１乃至６のいずれかに記載の厨芥処理具において、前記胴部は筒状であるとともに、前記移動底板は胴部両端から外脱しないように胴部内に配置され、且つ、胴部の内周壁にガイドされて胴部内を長さ方向の双方向に移動可能で筒状の胴部と相似形状であることを特徴とする。
【００１３】
請求項８記載の発明の厨芥処理具は、内部が空間で上下を開口した立体状の胴部と、前記胴部の内周壁に胴部の長さ方向に沿って設けた移動用ガイドと、前記移動用ガイドにガイドされて胴部内を長さ方向の双方向に移動可能で複数又は多数の穴を設けた移動底板とを有することを特徴とするものである。
【００１４】
請求項９記載の発明の厨芥処理具は、内部が空間で上下を開口した立体状の胴部と、前記胴部の内周壁に胴部の長さ方向に沿って設けた複数の移動用ガイドと、前記移動用ガイドから外脱しないように該移動用ガイドにガイドされて胴部内を長さ方向の双方向に移動可能で複数又は多数の穴を設けた移動底板と、胴部外周でこの胴部の長さ方向の双方向に移動可能な環状板と、前記胴部の上下両端の外周部に各々設けた前記環状板の脱落防止用のストッパー部とを有することを特徴とするものである。
【００１５】
請求項１０記載の発明の厨芥処理具は、内部が空間で上下を開口した立体状の胴部と、前記胴部の内周壁に胴部の長さ方向に沿って設けた複数の移動用ガイドと、前記移動用ガイドから外脱しないように該移動用ガイドにガイドされて胴部内を長さ方向の双方向に移動可能で複数又は多数の穴を設けた移動底板と、胴部外周でこの胴部の長さ方向の双方向に移動可能な把手付き環状板と、前記胴部の上下両端の外周部に各々設けた前記把手付き環状板の脱落防止用のストッパー部とを有することを特徴とするものである。
【００１６】
請求項１１記載の発明の厨芥処理具は、内部が空間で上下を開口した立体状の胴部と、前記胴部の内周壁に胴部の長さ方向に沿って設けた複数の移動用ガイドと、外周部に歯車状歯形又は鋸歯状歯形が形成されるともに、前記移動用ガイドから外脱しないように該移動用ガイドにガイドされて胴部内を前記歯車状歯形又は鋸歯状歯形部分を胴部に接触させつつ胴部内を長さ方向の双方向に移動可能で複数又は多数の穴を設けた移動底板と、前記胴部外周でこの胴部の長さ方向の双方向に移動可能な把手付き環状板と、前記胴部の上下両端の外周部に各々設けた前記把手付き環状板の脱落防止用のストッパー部とを有することを特徴とするものである。
【００１７】
請求項１２記載の発明の厨芥処理具は、内部が空間で上下を開口した立体状の胴部と、前記胴部の内周壁に胴部の長さ方向に沿って設けた複数の移動用ガイドと、外周部に歯車状歯形或いは鋸歯状歯形が形成されるともに、前記移動用ガイドから外脱しないように該移動用ガイドにガイドされて胴部内を前記歯車状歯形又は鋸歯状歯形部分を胴部に接触させつつ胴部内を長さ方向の双方向に移動可能で複数又は多数の穴を設けた移動底板と、内周部に歯車状歯形又は鋸歯状歯形が形成されるともに、胴部外周で前記歯車状歯形又は鋸歯状歯形部分を胴部外周に接触させつつこの胴部の長さ方向の双方向に移動可能な把手付き環状板と、前記胴部の上下両端の外周部に各々設けた前記把手付き環状板の脱落防止用のストッパー部とを有することを特徴とするものである。
【００１８】
請求項１３記載の発明の厨芥処理具は、前記請求項８乃至１２記載の厨芥処理具において、前記胴部は筒状であるとともに、前記移動底板は前記移動用ガイドにガイドされて胴部内を長さ方向の双方向に移動可能で筒状の胴部と相似形状であることを特徴とするものである。
【００１９】
請求項１４記載の発明の厨芥処理具は、前記請求項１乃至１３記載の厨芥処理具において、前記胴部は、内部が空間で上下を開口した立体状で、壁面に複数又は多数の穴を設けたものであることを特徴とするものである。
【発明の効果】
【００２０】
請求項１、２、３、４記載の発明によれば、流し台等の排水口等において、上下反転という簡略な操作だけで、生ゴミ等を極めて容易に外部に廃棄することができ、しかも、そのまま厨芥処理具として直ちに再使用の状態に供することができ、天地両用型の極めて斬新構造の厨芥処理具を提供することができる。
【００２１】
請求項５記載の発明によれば、移動底板を、内部が空間で上下を開口した低い立体状で前記胴部の内周と相似形状の外周部と、この外周部内に固設されて水切り用の複数又は多数の穴を設けた板材とからなる構成として前記請求項１乃至４記載の各発明の効果を発揮できる天地両用型の斬新構造の厨芥処理具を提供することができる。
【００２２】
請求項６記載の発明によれば、胴部の上下端の内周面に、移動底板の胴部両端から外方への脱落防止用の複数のストッパー部を具備する構成として前記請求項１乃至５記載の各発明の効果を発揮できる天地両用型の斬新構造の厨芥処理具を提供することができる。
【００２３】
請求項７記載の発明によれば、胴部を筒状に形成し、移動底板を筒状の胴部と相似形状にした厨芥処理具として前記請求項１乃至６記載の各発明の効果を発揮できる天地両用型の斬新構造の厨芥処理具を提供することができる。
【００２４】
請求項８、９、１０記載の発明によれば、流し台等の排水口等において、上下反転という簡略な操作だけで、生ゴミ等を極めて容易に外部に廃棄することができ、しかも、そのまま厨芥処理具として直ちに再使用の状態に供することができ、天地両用型の極めて斬新構造の厨芥処理具を提供することができる。
【００２５】
請求項１１記載の発明によれば、請求項８乃至１０記載の発明の作用に加えて、胴部の内周壁に付着している生ゴミの残滓を掻き落とし、一層効果的に胴部の内周壁をきれいにすることができる天地両用型の斬新構造の厨芥処理具を提供することができる。
【００２６】
請求項１２記載の発明によれば、請求項８乃至１０、１１記載の発明の作用に加えて、胴部の外周壁をもきれいにすることができる天地両用型の斬新構造の厨芥処理具を提供することができる。
【００２７】
請求項１３記載の発明によれば、胴部を筒状に形成した厨芥処理具として前記請求項８乃至１２記載の各発明の効果を発揮できる天地両用型の斬新構造の厨芥処理具を提供することができる。
【００２８】
請求項１４記載の発明によれば、胴部の壁面に複数又は多数の穴を設けて形成した厨芥処理具とすることにより、前記請求項１乃至１３記載の各発明の効果を発揮できるとともに、生ゴミ等に含まれる水分が胴部の穴からも下方に漏出して水切りができる天地両用型の斬新構造の厨芥処理具を提供することができる。
【発明を実施するための最良の形態】
【００２９】
流し台等の排水口等において、上下反転という簡略な操作だけで、生ゴミ等を極めて容易に外部に廃棄することができ、しかも、そのまま厨芥処理具として直ちに再使用の状態に供することができ、天地両用型の極めて斬新構造の厨芥処理具を実現するという本発明の目的を、次の基本構成により達成した。
すなわち、本発明の厨芥処理具は、内部が空間で上下を開口した立体状の胴部と、前記胴部の内周壁にガイドされて胴部内を長さ方向の双方向に移動可能で複数又は多数の穴を設けた移動底板とを有することを特徴とするものである。
【実施例】
【００３０】
以下、本発明に係る厨芥処理具の実施例を詳細に説明する。
（実施例１）
本実施例１に係る厨芥処理具１は、図１乃至図３に示すように、内部が空間で上下を開口した（すなわち無底の）例えば円筒状等の立体状の例えば金属製又は樹脂製の胴部２と、胴部２の内周壁にこの胴部２の長さ方向に沿って１２０度間隔で設けた例えば３個の丸棒状の移動用ガイド４と、３個の移動用ガイド４に対応して周囲部分に１２０度間隔で３個のガイド孔５ａを有し、当該３個の移動用ガイド４に３個の各ガイド孔５ａを夫々嵌合させることで、当該移動用ガイド４から外脱しないように外周部をガイドされつつ胴部２内をその長さ方向の双方向に移動可能であるとともに、水切り用の複数又は多数の穴６を設けた例えば金属製又は樹脂製で円板状の移動底板５と、前記胴部２の外周でこの胴部２の長さ方向の双方向に移動可能に構成した例えば金属製又は樹脂製で胴部２の外径より若干大きい内径を有する円環状の環状板７と、この環状板７の外周部に添設した半円弧状の把手８と、前記胴部２の上下両端の外周部に各々設けた前記環状板７の胴部２からの脱落防止用の各ストッパー部２ｂとを有している。
【００３１】
前記各移動用ガイド４は、図３に示すように、例えばステンレス製等の丸棒の両端４ａ、４ｂを９０度折曲して形成され、両端４ａ、４ｂを各々前記胴部２の内周壁に溶接等で固着してこの胴部２の長さ方向に沿って配置している。各移動用ガイド４の夫々の上下両端４ａ、４ｂをもって移動底板５のストッパーとしている。
前記ストッパー部２ｂは、図１、図３に示すように、胴部２の両端外周部に各々円形の鍔部を形成することにより構成している。この両端に各々設けたストッパー部２ｂにより、前記円環状の環状板７の胴部２の両端から外方への脱落を防止するようになっている。
環状板７の外周部に添設した半円弧状の把手８は、その両端の折曲係合部８ａ、８ｂを、環状板７に設けた受部７ａ、７ｂに嵌合させることで、折曲係合部８ａ、８ｂを支点として図３に示すように水平位置と垂直位置とに亙って回動可能となっている。
【００３２】
図示する実施例１では、各移動用ガイド４に対応してこれに嵌合する各ガイド孔５ａを移動底板５の周囲部分に設けて、当該移動底板５を胴部２内の長さ方向の双方向に移動可能な構成としているが、本発明においては、その部分の構成を図示するものに限定するものではない。
すなわち、移動底板５と移動用ガイド４との構成は、図示するものではないが、例えば、３個の移動用ガイド４に対応して移動底板５の外周部に３個のガイド受溝状部を形成して、各移動用ガイド４に各ガイド受溝状部を各々係合させることで、外周部をガイドされつつ移動底板５を胴部２内の長さ方向の双方向に移動可能に構成しても良い。この場合、前記胴部２の上限両端の内周部に、前記移動底板５の胴部２からの脱落防止用の例えば小突起状の内側ストッパー部を形成する必要がある。これにより、胴部２内を移動する移動底板５は、内側ストッパー部の各小突起に当接して位置規制される。
【００３３】
次に、上記構成に係る厨芥処理具１の作用を、図４、図５をも参照して説明する。
厨芥処理具１は、流し台等の排水口或いは排水トラップが一体となった排水口等に用いられるストレーナーである。
すなわち、厨芥処理具１は初期状態（厨芥処理具１が流し台等の排水口等に入った状態）では、図３に示すように、移動底板５が胴部２の一端（下端）近傍に位置し、この状態で野菜屑等の生ゴミ１０等が胴部２内の移動底板５上に入れられていっぱいになったとする。この状態では、生ゴミ１０等に含まれる水分は前記移動底板５の穴６から下方に漏出し水切りが行われる。
【００３４】
厨芥処理具１は初期状態、すなわち、厨芥処理具１が流し台等の排水口等に入った状態においては、図３に示すように、前記環状板７が胴部２の上端に位置して溝状である排水口の周辺に当接、載置されるような状態になっている。
【００３５】
そして、生ゴミ１０等でいっぱいになった厨芥処理具１から該生ゴミ１０等を例えばビニール袋等に廃棄する場合には、図４に示すように、胴部２の上端に位置する環状板７に設けた把手８をもって厨芥処理具１を排水口から出し、厨芥処理具１を上下反転させる。このとき、胴部２内の移動底板５は、厨芥処理具１の上下反転に伴い図４に示すように前記移動用ガイド４によりガイドされつつ自重により反転させた下方に落下し、これにより、胴部２内の生ゴミ１０等は、図５に示すように、移動底板５により下方に押し出されるようにして図示しないビニール袋内へ廃棄される。
【００３６】
上記の如く反転させて下方に落下した移動底板５は、前記各移動用ガイド４の夫々の上下における両端４ａ、４ｂに当接して位置規制される。
このようにして、厨芥処理具１の上下反転という簡略な操作だけで、厨芥処理具１から生ゴミ１０等を極めて容易に外部に廃棄することができ、更に、廃棄処理後においては、胴部２内の移動底板５が図５に示すように下端位置に治まっているので、このまま厨芥処理具１として直ちに再利用の状態に供することができる。生ゴミ１０等の廃棄状態を示す図５の状態において、把手８付きの環状板７は、操作者が手を離すと、図１に示すような下端位置となる。
【００３７】
なお、把手８付きの環状板７は、前述した厨芥処理具１の初期状態、すなわち、厨芥処理具１が流し台等の排水口等に入った状態となり、前記環状板７が胴部２の上端に位置して溝状である排水口の周辺に当接、載置されるような状態になる。
【００３８】
図６は前記移動底板５の変形例である移動底板１５を示すものである。
この移動底板１５は、前記移動底板５と基本的には同様な形状であるが、外周部１５ａを歯車状歯形又は鋸歯状歯形としたことが特徴である。
このような移動底板１５を用いて厨芥処理具１を構成すれば、歯車状歯形又は鋸歯状歯形の外周部１５ａが、移動底板１５による生ゴミ１０等の押し出し動作の際に前記胴部２の内周壁に付着している生ゴミ１０等の残滓を掻き落とすようになるため、一層効果的に胴部２の内周壁をきれいにすることができる。
【００３９】
図７は前記環状板７の変形例である環状板１７を示すものである。
この環状板１７は、前記環状板７のと基本的には同様な形状であるが、内周部１７ａを歯車状歯形又は鋸歯状歯形としたことが特徴である。
このような環状板１７を用いて厨芥処理具１を構成すれば、歯車状歯形又は鋸歯状歯形の内周部１７ａが、この環状板１７の胴部２の外周に沿っての移動の際に前記胴部２の外周壁に付着している生ゴミ１０等の残滓を掻き落とすようになるため、一層効果的に胴部２の外周壁をきれいにすることができる。
更に、前記移動底板１５、環状板１７の双方を用いて厨芥処理具１を構成すれば、前記胴部２の内周壁、外周壁双方に付着している生ゴミ１０等の残滓を掻き落とすことができ、一層効果的に胴部２の内外周壁をきれいにすることができる。
【００４０】
本発明は、上述した実施例１に限定されるものではない。例えば、厨芥処理具１の全体形状は、上述した円筒状の他、楕円筒状、四角筒状、六角筒状等の角筒状等として実施可能である。また、本発明の各部の構成材はその材質を限定するものではなく、更に、厨芥処理具のサイズを限定するものではない。
【００４１】
（実施例２）
図８、図９は、本発明の実施例２に係る厨芥処理具１Ａを示すものであり、前記実施例１に係る厨芥処理具１の変形例である。以下、前記実施例１に係る厨芥処理具１と同じ構成部については同じ符号を付して説明する。
実施例２に係る厨芥処理具１Ａは、移動底板２５に改良を加えたことが特徴である。
【００４２】
すなわち、この厨芥処理具１Ａは、図８、図９に示すように、内部が空間で上下を開口した（すなわち無底の）例えば円筒状等の立体状の例えば金属製又は樹脂製の胴部２と、この胴部２の内周面に接合又は摺動或いは胴部２の内周面と僅かな隙間を有しながら胴部２内から外脱しないように外周部２６をガイドされつつ胴部２内をその長さ方向の双方向に移動可能であるとともに、水切り用の複数又は多数の穴６を設けた例えば金属製又は樹脂製で形成された円板状の移動底板２５と、前記胴部２の外周でこの胴部２の長さ方向の双方向に移動可能に構成した例えば金属製又は樹脂製で胴部２の外径より若干大きい内径を有する円環状の環状板７と、この環状板７の外周部に添設した半円弧状の把手８と、前記胴部２の上下両端の外周部に各々設けた前記環状板７の胴部２からの脱落防止用の各ストッパー部２ｂとを有している。
前記移動底板２５は、内部が空間で上下を開口（すなわち無底）し、且つ、前記胴部２の内周と相似形状で比較的背を低く形成した外周部２６内に、水切り用の複数又は多数の穴６を設けた板材２７を固設した構成となっている。なお、図８中の符号２８は、胴部２の上下端の内周面に例えば３ケ所設けられた移動底板２５のストッパー部である。各ストッパー部２８により、移動底板２５の胴部２の両端から外方への脱落を防止するようになっている。
前記ストッパー部２ｂは、図８に示すように、胴部２の両端外周部に各々円形の鍔部を形成することにより構成している。この両端に各々設けたストッパー部２ｂにより、前記円環状の環状板７の胴部２の両端から外方への脱落を防止するようになっている。
環状板７の外周部に添設した半円弧状の把手８は、その両端の折曲係合部８ａ、８ｂを、環状板７に設けた受部７ａ、７ｂに嵌合させることで、折曲係合部８ａ、８ｂを支点として図３に示すように水平位置と垂直位置とに亙って回動可能となっている。
【００４３】
次に、上記構成に係る厨芥処理具１Ａの作用を説明する。
厨芥処理具１Ａは、流し台等の排水口或いは排水トラップが一体となった排水口等に用いられるストレーナーである。
すなわち、厨芥処理具１Ａは初期状態（厨芥処理具１Ａが流し台等の排水口等に入った状態）では、図８に示すように、移動底板２５が胴部２の一端（下端）近傍に位置し、この状態で野菜屑等の生ゴミ１０等が胴部２内の移動底板２５上に入れられていっぱいになったとする。この状態では、生ゴミ１０等に含まれる水分は前記移動底板２５の穴６から下方に漏出し水切りが行われる。
厨芥処理具１Ａは初期状態、すなわち、厨芥処理具１Ａが流し台等の排水口等に入った状態においては、図８に示すように、前記環状板７が胴部２の上端に位置して溝状である排水口の周辺に当接、載置されるような状態になっている。
【００４４】
そして、生ゴミ１０等でいっぱいになった厨芥処理具１Ａから該生ゴミ１０等を例えばビニール袋等に廃棄する場合には、前記実施例１の図４に示すように、胴部２の上端に位置する環状板７に設けた把手８をもって厨芥処理具１Ａを排水口から出し、厨芥処理具１Ａを上下反転させる。このとき、胴部２内の移動底板２５は、厨芥処理具１Ａの上下反転に伴って自重により反転させた下方に落下し、これにより、胴部２内の生ゴミ１０等は、前記実施例１の図５に示すように、移動底板２５により下方に押し出されるようにして図示しないビニール袋内へ廃棄される。
【００４５】
上記の如く反転させて下方に落下した移動底板２５は、ストッパー部２８に当接して位置規制される。
このようにして、厨芥処理具１Ａの上下反転という簡略な操作だけで、厨芥処理具１Ａから生ゴミ１０等を極めて容易に外部に廃棄することができ、更に廃棄処理後においては、胴部２内の移動底板２５が下端位置に治まっているので、このまま厨芥処理具１Ａとして直ちに再利用の状態に供することができる。生ゴミ１０等の廃棄状態において、把手８付きの環状板７は、操作者が手を離すと、前記実施例１の図１に示すような下端位置となる。
【００４６】
なお、把手８付きの環状板７は、前述した厨芥処理具１Ａの初期状態、すなわち、厨芥処理具１Ａが流し台等の排水口等に入った状態となり、前記環状板７が胴部２の上端に位置して溝状である排水口の周辺に当接、載置されるような状態になる。
【００４７】
（実施例３）
図１０は、本発明の実施例３に係る厨芥処理具１Ｂを示すものであり、前記実施例１又は２に係る厨芥処理具１又は１Ａの変形例である。
以下、前記実施例１又は２に係る厨芥処理具１又は１Ａと同じ構成部については同じ符号を付して説明する。
実施例３に係る厨芥処理具１Ｂは、胴部２に改良を加え、胴部２を、内部が空間で上下を開口した（すなわち無底の）例えば円筒状等の立体状で、壁面に水切り用の複数又は多数の穴（例えばパンチング加工）３を設けた例えば金属製又は樹脂製としたことが特徴である。これ以外の部分については、前記実施例１又は２に係る厨芥処理具１又は１Ａと同じ構成であるので省略する。
このような構成の厨芥処理具１Ｂによれば、前記実施例１又は２に係る厨芥処理具１又は１Ａと同様の作用を発揮し、加えて、生ゴミ１０等に含まれる水分が胴部２の穴３からも下方に漏出して水切りが行なわれる。
【００４８】
本発明は、上述した実施例に限定されるものではない。例えば、厨芥処理具１Ａの全体形状は、前記実施例１で述べたように、上述した円筒状の他、楕円筒状、四角筒状、六角筒状等の角筒状等として実施可能であり、また、本発明の各部の構成材はその材質を限定するものではなく、更に、厨芥処理具のサイズを限定するものではない。
【産業上の利用可能性】
【００４９】
本発明は、家庭用、業務用を問わず、天地両用型の極めて斬新構造の厨芥処理具として幅広く適用可能である。
【図面の簡単な説明】
【００５０】
【図１】本発明の実施例１に係る厨芥処理具の斜視図である。
【図２】本発明の実施例１に係る厨芥処理具の平面図である。
【図３】本発明の実施例１に係る厨芥処理具の概略断面図である。
【図４】本発明の実施例１に係る厨芥処理具の上下反転状態を示す概略断面図である。
【図５】本発明の実施例１に係る厨芥処理具の生ゴミ廃棄時の状態を示す概略断面図である。
【図６】本発明の実施例１に係る移動底板の変形例を示す斜視図である。
【図７】本発明の実施例１に係る環状板の変形例を示す斜視図である。
【図８】本発明の実施例２に係る厨芥処理具１Ａの概略断面図である。
【図９】本発明の実施例２に係る厨芥処理具１Ａの移動底板２５の斜視図である。
【図１０】本発明の実施例３に係る厨芥処理具１Ｂの斜視図である。
【符号の説明】
【００５１】
１    厨芥処理具
１Ａ  厨芥処理具
１Ｂ  厨芥処理具
２    胴部
２ｂ  環状板のストッパー部
３    穴
４    移動用ガイド
４ａ、４ｂ  移動用ガイドの上下の両端
５    移動底板
５ａ  ガイド孔
６    穴
７    環状板
７ａ、７ｂ  受部
８    把手
８ａ、８ｂ  折曲係合部
１０    生ゴミ
１５    移動底板
１５ａ  外周部
１７    環状板
１７ａ  内周部
２５    移動底板
２６    外周部
２７    板材
２８    移動底板２５のストッパー部
【図１】
2004323237.tif 000003
【図２】
2004323237.tif 000004
【図３】
2004323237.tif 000005
【図４】
2004323237.tif 000006
【図５】
2004323237.tif 000007
【図６】
2004323237.tif 000008
【図７】
2004323237.tif 000009
【図８】
2004323237.tif 000010
【図９】
2004323237.tif 000011
【図１０】
2004323237.tif 000012